(57)【要約】【課題】簡単に低コストで製造が可能となり、施錠装置に対し簡単に取付交換を行うことができるシリンダ錠ユニットを提供する。【解決手段】  支持部材２に設けられた取付座部７に固定され、コ字状断面部１２ｃを有した取付ブラケット１２、取付ブラケット１２の先端に固定されるシリンダ錠１１、取付ブラケット１２の内側に回転可能に支持されシリンダ錠１１の錠軸に連結されるアダプターロッド１３、及びアダプターロッド１３の先端に固定されるカム部材１５を備える。取付ブラケット１２にはシリンダ錠１１のフランジを固定するフランジ固定部及びアダプターロッド１３を回転自在に支持するロッド支持部１２ａが設けられる。取付ブラケット１２の内側でアダプターロッド１３を回転可能に支持するロッド支持部材１４が取付ブラケット１２の内側に取り付けられる。【選択図】図９
2010222948.tif 000002
【特許請求の範囲】
【請求項１】
ゲーム機の前扉の内側に取り付けられる施錠装置の支持部材に取り付けられるシリンダ錠ユニットであって、
該支持部材に設けられた取付座部に固定され、断面を略コ字状とするコ字状断面部を有した取付ブラケットと、
該取付ブラケットの先端に固定されるシリンダ錠と、
該取付ブラケットの内側に回転可能に支持され、該シリンダ錠の錠軸に連結されるアダプターロッドと、
該アダプターロッドの先端に固定されるカム部材と、
を備え、
該取付ブラケットには該シリンダ錠のフランジを固定するフランジ固定部及び該アダプターロッドを回転自在に支持するロッド支持部が設けられ、
該取付ブラケットの内側で該アダプターロッドを回転可能に支持するロッド支持部材が該取付ブラケットの内側に取り付けられたことを特徴とするシリンダ錠ユニット。
【請求項２】
前記ロッド支持部材が前記アダプターロッドの小径部を支持する支持部と前記取付ブラケットに設けた嵌着凹部に嵌着される嵌着部とを合成樹脂により一体成形して形成されることを特徴とする請求項１記載のシリンダ錠ユニット。
【請求項３】
前記ロッド支持部材が、前記取付ブラケットのコ字状断面部の内側に嵌入される大きさと形状に、合成樹脂により一体成形して形成され、前記アダプターロッドを支持する断面Ｕ字状の支持凹部が該ロッド支持部材の内側に設けられ、該ロッド支持部材の上面と下面には係止凹部が設けられ、該ロッド支持部材を該取付ブラケットの内側に嵌入したとき、該ロッド支持部材が該コ字状断面部の上下の壁部内側に突設された突起に該係止凹部を係止させて保持されることを特徴とする請求項１記載のシリンダ錠ユニット。
【請求項４】
前記取付ブラケットはコ字状断面部の端部に前記フランジ固定部が設けられ、該フランジ固定部の反対側の該取付ブラケットの端部に第１取付座固定部が設けれ、該第１取付座固定部の端部を直角に曲折して第２取付座固定部が設けられ、該第１取付座固定部と該第２取付座固定部には、施錠装置の支持部材に固定するための固定面と取付孔が設けられたことを特徴とする請求項１記載のシリンダ錠ユニット。
【請求項５】
前記取付ブラケットの第２取付座固定部に前記アダプターロッドを挿通させる軸孔を設けて第１ロッド支持部が形成され、前記アダプターロッドの小径部に嵌合して該アダプターロッドを回転自在に支持する第２ロッド支持部が該取付ブラケットのコ字状断面部に設けられたことを特徴とする請求項４記載のシリンダ錠ユニット。
【請求項６】
前記ロッド支持部材が、前記取付ブラケットのコ字状断面部の内側に嵌入される大きさと形状に、合成樹脂により一体成形して形成され、前記アダプターロッドを支持する断面Ｕ字状の支持凹部が該ロッド支持部材の内側に設けられ、該ロッド支持部材の上面と下面には係止爪が設けられ、該ロッド支持部材を該取付ブラケットの内側に嵌入したとき、該係止爪が該コ字状断面部の壁部の係止溝に係止させることを特徴とする請求項１または４記載のシリンダ錠ユニット。
【請求項７】
前記アダプターロッドを支持する前記ロッド支持部材の断面Ｕ字状の支持凹部内に、Ｕ字状リブが設けられ、該Ｕ字状リブが前記アダプターロッドの小径部に嵌合され、前記取付ブラケットのコ字状断面部の平板基部には位置決め孔が設けられ、該ロッド支持部材には該位置決め孔に嵌合する位置決めボスが設けられたことを特徴とする請求項６記載のシリンダ錠ユニット。
【請求項８】
前記アダプターロッドは、先端に前記カム部材を固定するためのカム固定部を有し、該カム固定部とは反対側の該先端に矩形部が設けられ、該矩形部に嵌合する矩形嵌合部と前記シリンダ錠の錠軸の先端に嵌合する錠軸嵌合部とを有したロッド連結カバーが、該アダプターロッドと該錠軸間を嵌着された請求項１記載のシリンダ錠ユニット。
【請求項９】
前記ロッド連結カバーは合成樹脂により成形されると共に、皿ねじにより前記錠軸に締付固定され、該ロッド連結カバーに設けた孔状の矩形嵌合部に前記アダプターロッドの矩形部が嵌入して連結されたことを特徴とする請求項８記載のシリンダ錠ユニット。
【発明の詳細な説明】
【技術分野】
【０００１】
本発明は、スロットマシンなどのゲーム機の前扉を筐体に対し施錠する施錠装置に好適なシリンダ錠ユニットに関する。
【背景技術】
【０００２】
例えば、パチンコホールに設置されるスロットマシンは、一般に、前面枠上に各種の装飾板が立体的に形成されて取り付けられるため、機種に応じて前面枠の厚さが異なって製作される。この種の前面枠は、ゲーム機の本体枠に対し、開閉可能に取り付けられ、シリンダ錠付きの施錠装置により施錠されるが、施錠装置自体はその前面枠と本体枠の当接箇所に位置し、そのシリンダ錠の先端（鍵穴の部分）は、常に前面枠の装飾板の表面に露出して位置する必要がある。
【０００３】
このため、複数種のスロットマシン用の施錠装置を製作する場合、ゲーム機の機種に応じてそこに使用される施錠装置のシリンダ錠の長さが異なることから、機種毎に長さの異なるシリンダ錠を製作しなければならない。従って、この種のゲーム機用施錠装置のシリンダ錠は、共通部品の数が少なく大量生産ができないために、製造コストが高くなる。
【０００４】
そこで、従来、標準的な長さで共通部品として製作したシリンダ錠に対し、任意の長さに切断した円筒とシャフトを継ぎ足し、長尺で各種の長さとした構造のシリンダ錠が製造されている(例えば下記特許文献１を参照)。
【０００５】
従来のこの長尺のシリンダ錠は、標準的なシリンダ錠のケースと同径の円筒が用意され、円筒内の軸心位置に、連結軸が配置される。連結軸の先端には係合部が設けられ、標準シリンダ錠がその錠軸の先端をその係合部に係合させた状態で、シリンダ錠のケース下部が円筒先端部内に嵌着される。
【０００６】
一方、円筒の元部には取付フランジが嵌着されるが、取付フランジの中央には円柱嵌合部を突設し、その円柱嵌合部の軸方向に貫通孔を穿設し、その貫通孔に連結軸を回転自在に挿通させながら、円筒元部を円柱嵌合部の外周部に嵌着させるようになっている。
【先行技術文献】
【特許文献】
【０００７】
【特許文献１】特許第３５３３５９９号公報
【発明の概要】
【発明が解決しようとする課題】
【０００８】
このため、円筒の先端部は、シリンダ錠のケース下部が密に嵌入されるように、その内周面を正確に加工する必要があり、また、取付フランジの円柱嵌合部は、円筒の元部内に密に嵌入されるように、その外周面を正確に加工する必要があり、このような取付フランジと円筒の高精度の切削加工は、多くの手間と工数がかかり、製造コストを押し上げる要因となっていた。
【０００９】
ところで、スロットマシンなどのゲーム機は、通常、パチンコホールにパチンコ機と共に、多数台が設置されるところ、多数のゲーム機が設置されたパチンコホールでは、スロットマシンの施錠装置、パチンコ機の施錠装置共に使用可能な統一錠キー（同一のシリンダ錠キー）を使用できれば、多数のゲーム機を管理する上で非常に便利となる。このため、メーカーからパチンコホールにスロットマシンが搬入された後、パチンコホール側でパチンコ機の施錠装置と共通して使用可能な各ホール専用の統一錠として、パチンコ機に汎用的に使用されるシリンダ錠を、ゲーム機の施錠装置に付け替えることが検討されている。
【００１０】
しかし、上記のように、スロットマシン用の施錠装置に使用されるシリンダ錠は、加工工数が多く製造コストが嵩むために価格が高く、且つ長尺のシリンダ錠を交換する場合、その錠軸からカム部材を外した状態で、施錠装置の基枠体の取付板からシリンダ錠を取り外し、新たなシリンダ錠を取り付ける必要があり、シリンダ錠の交換作業が非常に手間取ることが予想されるため、交換の容易なシリンダ錠ユニットが要望されていた。
【００１１】
本発明は、上記の点に鑑みなされたもので、簡単に低コストで製造が可能となり、施錠装置に対し簡単に取付交換を行うことができるシリンダ錠ユニットを提供することを目的とする。
【課題を解決するための手段】
【００１２】
上記の目的を達成するために、本発明の請求項１のシリンダ錠ユニットは、ゲーム機の前扉の内側に取り付けられる施錠装置の支持部材に取り付けられるシリンダ錠ユニットであって、該支持部材に設けられた取付座部に固定され、断面を略コ字状とするコ字状断面部を有した取付ブラケットと、該取付ブラケットの先端に固定されるシリンダ錠と、該取付ブラケットの内側に回転可能に支持され、該シリンダ錠の錠軸に連結されるアダプターロッドと、該アダプターロッドの先端に固定されるカム部材と、を備え、該取付ブラケットには該シリンダ錠のフランジを固定するフランジ固定部及び該アダプターロッドを回転自在に支持するロッド支持部が設けられ、該取付ブラケットの内側で該アダプターロッドを回転可能に支持するロッド支持部材が該取付ブラケットの内側に取り付けられたことを特徴とする。
【００１３】
この発明によれば、コ字状断面部を有する取付ブラケット、アダプターロッド及びロッド支持部を組み付けるだけで簡単に低コストでシリンダ錠ユニットの製造が可能となり、シリンダ錠を交換する際は、汎用のシリンダ錠をそのフランジ部分から取り外せば、施錠装置に対し簡単にシリンダ錠の交換を行うことができ、パチンコホールなどでは、広く使用されている汎用のシリンダ錠を取り付けて、統一キーを使用し、ゲーム機の管理を簡便に行うことができる。
【００１４】
請求項２の発明は、上記請求項１のシリンダ錠ユニットにおいて、上記ロッド支持部材が、上記アダプターロッドの小径部を支持する支持部と上記取付ブラケットに設けた嵌着凹部に嵌着される嵌着部とを備え、合成樹脂により一体成形して形成されたことを特徴とする。
【００１５】
この発明によれば、取付ブラケットに対しシリンダ錠、アダプターロッド、カム部材を組み付ける際、先ず取付ブラケットの内側にアダプターロッドをロッド支持部材により支持した状態で、シリンダ錠の錠軸をアダプターロッドの先端に嵌合させながらフランジ固定部に、シリンダ錠を固定して容易に組み付けることができる。
【００１６】
請求項３の発明は、上記請求項１のシリンダ錠ユニットにおいて、上記ロッド支持部材が上記取付ブラケットのコ字状断面部の内側に嵌入される大きさと形状に、合成樹脂により一体成形して形成され、上記アダプターロッドを支持する断面Ｕ字状の支持部をロッド支持部材の内側に設け、ロッド支持部材の上面と下面には係止凹部を設け、ロッド支持部材を取付ブラケットの該コ字状断面部の内側に嵌入したとき、ロッド支持部材がコ字状断面部の上下の壁部内側に突設された突起にその係止凹部を係止させて、保持されることを特徴とする。
【００１７】
この発明によれば、ロッド支持部材が比較的大きい形状となり、より簡単に取付ブラケットの内側の定位置に嵌め込むことができる。
【００１８】
請求項４の発明は、上記請求項１のシリンダ錠ユニットにおいて、上記取付ブラケットはコ字状断面部の端部に上記フランジ固定部が設けられ、該フランジ固定部の反対側の該取付ブラケットの端部に第１取付座固定部が設けられ、該第１取付座固定部の端部を直角に曲折して第２取付座固定部が設けられ、該第１取付座固定部と該第２取付座固定部には、施錠装置の支持部材に固定するための固定面と取付孔が設けられたことを特徴とする。
【００１９】
この発明によれば、シリンダ錠ユニットの取付ブラケットを、その第１取付座固定部と第２取付座固定部を介して、施錠装置の支持部材に対し取付孔と固定ねじを用いて強固に締付固定することができる。
【００２０】
請求項５の発明は、上記請求項４のシリンダ錠ユニットにおいて、上記取付ブラケットの第２取付座固定部に上記アダプターロッドを挿通させる軸孔を設けて第１ロッド支持部が形成され、該アダプターロッドの小径部に嵌合して該アダプターロッドを回転自在に支持する第２ロッド支持部が該取付ブラケットのコ字状断面部に設けられたことを特徴とする。
【００２１】
この発明によれば、シリンダ錠ユニットの組立製造時に、アダプターロッドを取付ブラケット内の定位置に簡単に組み付けることができ、製造時の組み付け作業を容易に行なうことができる。
【００２２】
請求項６の発明は、上記請求項１または４のシリンダ錠ユニットにおいて、上記ロッド支持部材が、上記取付ブラケットのコ字状断面部の内側に嵌入される大きさと形状に、合成樹脂により一体成形して形成され、上記アダプターロッドを支持する断面Ｕ字状の支持凹部が該ロッド支持部材の内側に設けられ、該ロッド支持部材の上面と下面には係止爪が設けられ、該ロッド支持部材を該取付ブラケットの内側に嵌入したとき、該係止爪が該コ字状断面部の壁部の係止溝に係止させることを特徴とする。
【００２３】
この発明によれば、シリンダ錠ユニットの組立製造時、ロッド支持部材を、取付ブラケットのコ字状断面部内に、アダプターロッドを支持するように挿入したとき、定位置に簡単に組み付けて係止することができる。
【００２４】
請求項７の発明は、上記請求項６のシリンダ錠ユニットにおいて、上記アダプターロッドを支持する上記ロッド支持部材の断面Ｕ字状の支持凹部内に、Ｕ字状リブが設けられ、該Ｕ字状リブが該アダプターロッドの小径部に嵌合され、上記取付ブラケットのコ字状断面部の平板基部には位置決め孔が設けられ、該ロッド支持部材には該位置決め孔に嵌合する位置決めボスが設けられたことを特徴とする。
【００２５】
この発明によれば、シリンダ錠ユニットの組立製造時に、ロッド支持部材を取付ブラケット内のコ字状断面部の定位置に、簡単に組み付けることができ、製造時の組み付け作業を容易に行なうことができる。
【００２６】
請求項８の発明は、上記請求項１のシリンダ錠ユニットにおいて、上記アダプターロッドは、先端に前記カム部材を固定するためのカム固定部を有し、該カム固定部とは反対側の該先端に矩形部が設けられ、該矩形部に嵌合する矩形嵌合部と前記シリンダ錠の錠軸の先端に嵌合する錠軸嵌合部とを有したロッド連結カバーが、該アダプターロッドと該錠軸間を嵌着されたことを特徴とする。
【００２７】
請求項９の発明は、上記請求項８のシリンダ錠ユニットにおいて、上記ロッド連結カバーが合成樹脂により成形され、皿ねじにより上記錠軸に締付固定され、該ロッド連結カバーに設けた孔状の矩形嵌合部に上記アダプターロッドの矩形部が嵌入連結されたことを特徴とする。
【００２８】
この発明によれば、シリンダ錠の操作時、錠軸の回動力を、ロッド連結カバーを介してアダプターロッドに確実に伝達することができ、長期間にわたり連結不良を生じずに使用することができる。また、アダプターロッドやロッド連結カバーなどの部品を低コストで製造することができ、シリンダ錠ユニットの組立製造時にも、容易に組み付けることができ、製造コストを低く抑えることができる。
【発明の効果】
【００２９】
本発明のシリンダ錠ユニットによれば、コ字状断面部を有した取付ブラケットのコ字状断面部内に、アダプターロッド及びロッド支持部材を組み付けるだけで、簡単に低コストでシリンダ錠ユニットの製造が可能となり、また、シリンダ錠を交換する際は、シリンダ錠をそのフランジ部分から取り外せば、施錠装置に対し簡単にシリンダ錠の交換を行うことができる。
【図面の簡単な説明】
【００３０】
【図１】本発明の第１実施形態を示すシリンダ錠ユニットを取り付けた施錠装置の正面図である。
【図２】同施錠装置の右側面図である。
【図３】同施錠装置の左側面図である。
【図４】同施錠装置の背面図である。
【図５】同施錠装置の平面図である。
【図６】同施錠装置の底面図である。
【図７】施錠装置本体に取り付けたシリンダ錠ユニットの斜め左前からの斜視図である。
【図８】施錠装置本体に取り付けたシリンダ錠ユニットの斜め右前からの斜視図である。
【図９】シリンダ錠ユニットの斜視図である。
【図１０】シリンダ錠ユニットの右側からの斜視図である。
【図１１】シリンダ錠ユニットの拡大分解斜視図である。
【図１２】施錠装置本体に取り付けられたシリンダ錠ユニットの斜め背面側からの斜視図である。
【図１３】他の実施形態を示すシリンダ錠ユニットの斜視図である。
【図１４】第２実施形態を示すシリンダ錠ユニットの斜視図である。
【図１５】同シリンダ錠ユニットを別の角度から見た斜視図である。
【図１６】同シリンダ錠ユニットを別の角度から見た斜視図である。
【図１７】同シリンダ錠ユニットの分解斜視図である。
【図１８】（ａ）（ｂ）（ｃ）は各々ロッド支持部材の斜視図である。
【図１９】ロッド連結カバーの斜視図である。
【図２０】施錠装置本体に取り付けられた同シリンダ錠ユニットの斜め正面側からの斜視図である。
【図２１】同シリンダ錠ユニットの別の角度から見た斜視図である。
【図２２】同シリンダ錠ユニットの斜め背面側からの斜視図である。
【発明を実施するための形態】
【００３１】
以下、本発明の実施例を図面に基づいて説明する。図１〜図１２は第１実施形態のシリンダ錠ユニットを示し、図１はそのシリンダ錠ユニット１０を取り付けたゲーム機用の施錠装置の正面図を、図２はその右側面図を示し、図３はその左側面図を、図４はその背面図を示し、図５、６はその平面図と底面図を示している。
【００３２】
ゲーム機の施錠装置は、図１〜図６に示すように、概略的には、縦長で長尺の施錠装置本体１の正面に、シリンダ錠ユニット１０が突設されて構成される。施錠装置本体１は、外側を覆うケース３を有し、ケース３は、薄い板状空間を内部に有した断面コ字状に形成される共に、薄く細い長尺状に形成され、そのケース３内に、基枠体となる縦長の支持部材２が、その上部をケース３から上方に突出させ、その下部をケース３から下方に突出させた状態で、取り付けられる。
【００３３】
支持部材２には、ゲーム機の前面枠（前扉）を施錠し解錠する前面枠施錠機構が設けられ、ケース３の背面側の上部と下部に開口凹部３１，３２が設けられる。開口凹部３１，３２の内側には、ゲーム機の筐体側に取り付けられる受け具が開口凹部３１，３２に進入したとき、その受け具を拘束するように回動して係止するラッチ部材４，５が、支持部材２に対し回動可能に枢支されている。
【００３４】
つまり、ケース３で包囲された支持部材２の上部と下部には、板状空間内に、板状で長尺の支持部材２が配設され、前面枠施錠機構としてラッチ部材４、５がケース３内の支持部材２の上部と下部に回動可能に枢支される。そして、ラッチ部材４、５を解錠側に動作させるラッチ作動杆６がケース３内の支持部材２に摺動可能に装着され、ラッチ部材４、５を解錠側に付勢するばね部材がラッチ部材４，５と支持部材２間に装着される。
【００３５】
このラッチ作動杆６は、シリンダ錠１１を解錠方向とは逆の方向に回したとき、リセットスイッチ２１をオンさせてリセット信号を発生させるように、スイッチ作動杆を兼ねて構成されている。ラッチ作動杆６をリセットスイッチの作動杆と兼用する構造としているので、別部品としてのスイッチ作動杆を必要とせず、部品点数を少なくして、構造を簡単化し、施錠装置の形状を薄くすることができる。
【００３６】
ラッチ部材４，５は、ケース３の支持部材２内側で、枢軸により回動可能に枢支され、ラッチ部材４，５には受け具を拘束するロック凹部が設けられる一方、ケース３には、受け具（係止ピン）を受け入れる開口凹部が形成され、支持部材２に形成された開口凹部３１，３２に、そのロック凹部が位置している。これにより、前面枠を閉じて施錠する際には、ラッチ部材４，５が回動して開口凹部３１，３２から受け具を受入れ、ラッチ部材４，５のロック凹部にそれを拘束するようになっている。
【００３７】
そして、シリンダ錠１１をキーにより右に回転させたとき、カム部材１５が同方向に回動し、そのカム部材１５に回動によってラッチ作動杆６が下降し、ラッチ部材４，５のロックを解除する。これにより、ラッチ部材４，５が図示しないばね部材の付勢力により、解錠方向に回動し、受け具をそのロック凹部から離脱させる構造である。
【００３８】
支持部材２の正面側は、取付板２ａとして平面板状に形成され、さらに、支持部材２の正面視で左側にはシリンダ錠用の取付座部７が突設される。この取付座部７には、図８に示すように、略半円形の開口部７ａが形成され、さらに取付座部７の端部は正面側に直角に曲折されて、取付ブラケット用の取付部７ｂが形成されている。一方、この取付座部７に対応したケース３の左側面位置に、図３に示すように、カム部材用の開口部３３が形成され、取付座部７に取り付けられたシリンダ錠ユニット１０のカム部材１５が、開口部３３から突出した、ラッチ作動杆６の係合部６ａに係合可能となっている。
【００３９】
上記のように、施錠装置本体１の支持部材２の正面に取付板２ａが設けられ、この取付板２ａの中間部下寄りの左側に取付座部７が突設され、この取付座部７にシリンダ錠ユニット１０が正面に突出して取り付けられ、このシリンダ錠ユニット１０は、図９〜図１２に示すように、シリンダ錠１１、取付ブラケット１２、アダプターロッド１３、ロッド支持部材１４、及びカム部材１５から構成される。
【００４０】
シリンダ錠１１は、パチンコ機の施錠装置に、広く使用される標準的な長さのシリンダ錠であり、図１１のように、外筒ケースの元部にフランジ１１ｂを設け、フランジ１１ｂの中央から背面側に錠軸１１ａを突出している。フランジ１１ｂには取付孔が設けられ、固定ねじ１６を挿入して取付ブラケット１２の先端のフランジ固定部１２ｄに固定されるようになっている。
【００４１】
シリンダ錠１１が取付固定される取付ブラケット１２は、図１１のように、略コ字状断面を有した本体部の末端（背面側）に取付座固定部１２ｂを設け、コ字状断面の本体部の先端には、フランジ固定部１２ｄが設けられ、このフランジ固定部１２ｄは、本体部の上下に設けたコ字状断面図１２ｃの端部を、直角に曲折して形成されている。
【００４２】
取付ブラケット１２は例えば鋼板をプレス加工により、所定の形状に裁断すると共に、断面を略コ字状とするように、本体部の上縁と下縁の壁部を内側に直角に曲折してコ字状断面図１２ｃを形成し、さらにそのコ字状断面図１２ｃの先端側を外側に直角に曲折して、シリンダ錠１１のフランジ１１ｂを固定するためのフランジ固定部１２ｄを形成している。
【００４３】
また、取付ブラケット１２の本体部の末端（先端側と反対側）には、上部と下部の両側に張り出すように取付座固定部１２ｂが形成される。この取付座固定部１２ｂは、取付座部７の取付部７ｂに固定されるようになっており、さらに、本体部の末端は、コ字状断面図１２ｃの内側と同じ側に直角に曲折されて、ロッド支持部１２ａが形成されている。ロッド支持部１２ａには、アダプターロッド１３の先端が挿通して支持される貫通孔が形成され、この貫通孔がアダプターロッド１３を回転自在に支持する。
【００４４】
さらに、取付ブラケット１２の平板状の本体部には、多数の開口部が形成され、開口部を形成することにより、軽量化を図ると共に、視認性を阻害しないようになっている。また、図１１に示すように、この開口部の一部に連続して、ロッド支持部材１４用の嵌着凹部１２ｅが形成されている。ロッド支持部材１４はアダプターロッド１３をその中間位置で支持するための部材で、図９，１０にように、この嵌着凹部１２ｅに嵌着されて取り付けられる。
【００４５】
このロッド支持部材１４は、例えば合成樹脂により一体成形され、嵌着凹部１２ｅに嵌着可能な嵌着部１４ａと、ロッドを支持する支持部１４ｂとを有している。支持部１４ｂは、アダプターロッド１３の中間部に設けた小径部１３ｂを回動可能に支持するように略Ｕ字状に形成され、アダプターロッド１３の小径部１３ｂに嵌合してこれを支持する。
【００４６】
アダプターロッド１３は、図１１に示すように、その先端に、シリンダ錠１１の錠軸１１ａを嵌入させる嵌合穴１３ａを設け、その末端に、カム部材１５を固定するカム固定部１３ｃを設け、中間部に小径部１３ｂを設けて構成される。先端の嵌合穴１３ａ内には、シリンダ錠１１の錠軸１１ａの先端に設けた面取り部に嵌合する平坦面が形成され、錠軸１１ａを嵌合穴１３ａに嵌入した状態で回動力を伝達可能としている。
【００４７】
アダプターロッド１３の末端にはカム部材１５が固定される。カム部材１５には、図６に示すように、第１係合凸部１５ａと第２係合凸部１５ｂが設けられ、図１２の如く、カム部材１５が正面視で右側（時計方向）に回動したとき、第１係合凸部１５ａが係合部６ａの上側に係合してラッチ作動杆６を下降させ、ラッチ部材４，５を解錠動作させる。一方、カム部材１５が正面視で左側（反時計方向）に回動したとき、カム部材１５の第２係合凸部１５ｂが係合部６ａの下側に係合してラッチ作動杆６を上昇させ、リセットスイッチ（非接触スイッチ）２１を動作させるようになっている。
【００４８】
リセットスイッチ２１は、ゲーム機のリセットを行なうためのスイッチであり、図１２に示すように、ケース３の下部に取り付けられる。一方、ラッチ作動杆６の下部寄りには、スイッチ作動片６ｃがケース外に突き出すように設けられている。シリンダ錠１１をキーにより左に回転させ、カム部材１５を同方向に回したとき、ラッチ作動杆６がカム部材１５により上昇し、これにより、スイッチ作動片６ｃが上昇してリセットスイッチ２１内に進入し、スイッチングするようになっている。
【００４９】
さらに、図１２のように、リセットスイッチ２１の下側のケース３には、解錠検出器（非接触スイッチ）９が取り付けられる一方、ラッチ作動杆６の下端部には、作動片６ｂがケース３から左側に突き出すように設けられ、解錠操作時にラッチ作動杆６がカム部材１５の右回転によって下降したとき、解錠検出器９内に進入していた作動片６ｂが解錠検出器９から離脱し、解錠を検出するようになっている。
【００５０】
なお、カム部材１５の第１係合凸部１５ａと第２係合凸部１５ｂは、施錠状態において、ラッチ作動杆６の係合部６ａに上下両側から係合して、ラッチ作動杆６の上下動をロックするようになっている。これにより、施錠状態において、不正な針金などによる不正解錠を防止することができる。
【００５１】
上記構成のシリンダ錠ユニット１０を組み立てる場合、先ず、取付ブラケット１２のコ字状断面部１２ｃの内側中央に、アダプターロッド１３を、ロッド支持部材１４を用いて支持する。このとき、アダプターロッド１３の末端のカム固定部１３ｃは、取付ブラケット１２のロッド支持部１２ａの貫通孔に挿通され、アダプターロッド１３は取付ブラケット１２の内側中央に長手方向に向けて配置され、アダプターロッド１３の中間部は、ロッド支持部材１４の支持部１４ｂにより支持される。このとき、ロッド支持部材１４は、そのＵ字状の支持部１４ｂをアダプターロッド１３の小径部１３ｂに回転自在に緩く嵌め、その嵌着部１４ａを取付ブラケット１２の嵌着凹部１２ｅにはめ込めば、簡単に取付ブラケット１２の内側中央の所定位置に保持することができる。
【００５２】
次に、シリンダ錠１１を取付ブラケット１２の先端に取り付ける。このとき、アダプターロッド１３は取付ブラケット１２の所定位置に、ロッド支持部材１４により位置決めされて保持されているので、シリンダ錠１１は、その錠軸１１ａをアダプターロッド１３の先端の嵌合穴１３ａに挿入しながら、そのフランジ１１１ｂを取付ブラケット１２のフランジ固定部１２ｄ上に当て、固定ねじ１６をねじ孔にねじ込むだけの簡単な操作で、シリンダ錠１１を取り付け、且つその錠軸１１ａをアダプターロッド１３の先端に連結することができる。そして、この状態で、取付ブラケット１２のロッド支持部１２ａの貫通孔から背面側に突出するカム固定部１３ｃにカム部材１５を固定ねじで固定して、シリンダ錠ユニット１０の組み付けは完了する。
【００５３】
このように、コ字状断面部１２ｃを有する取付ブラケット１２に、アダプターロッド１３及びロッド支持部材１４を組み付けるだけで、簡単に低コストでシリンダ錠ユニット１０の製造が可能となり、シリンダ錠１１を交換する際は、シリンダ錠１１をそのフランジ１１ｂから取り外せば、施錠装置本体１に対し簡単にシリンダ錠１１の交換を行うことができる。これにより、パチンコホールなどでは、広く使用されている汎用のシリンダ錠１１をスロットマシンなどのゲーム機の施錠装置に取り付け、統一キーを使用して、ゲーム機の管理を簡便に行うことができる。
【００５４】
また、取付ブラケット１２に対しシリンダ錠１１、アダプターロッド１３、カム部材１５を組み付ける際、先ず取付ブラケット１２の内側にアダプターロッド１３をロッド支持部材１４により支持した状態で、シリンダ錠１１の錠軸１１ａをアダプターロッド１３の嵌合穴１３ａに簡単に嵌合させながらフランジ固定部１２ｄに、シリンダ錠１１のフランジ１１ｂを固定して、シリンダ錠１１を容易に且つ迅速に組み付けることができる。
【００５５】
なお、上記実施形態では、小型でクリップ状のロッド支持部材１４を取付ブラケット１２の内側に嵌着させてアダプターロッド１３を所定位置に保持したが、図１３に示すように、取付ブラケット１２の内側全体を占める大きさにロッド支持部材４４を形成し、それを取付ブラケット１２の内側にそのまま嵌着することもできる。
【００５６】
この場合、上記と同様に、ロッド支持部材４４は、合成樹脂により一体成形し、その形状は、取付ブラケット４２のコ字状断面部４２ｃの内側全体、つまりコ字状断面部４２ｃの上下の壁部間に嵌入される大きさと形状に形成する。このロッド支持部材４４の内側には、アダプターロッド１３を回転可能に支持する断面Ｕ字状の凹部が設けられ、取付ブラケット４２の内側にそのロッド支持部材４４を嵌め込むことにより、ロッド支持部材４４の内側でアダプターロッド１３を中央位置に回転可能に支持される。
【００５７】
また、取付ブラケット４２のコ字状断面部４２ｃの上下の壁部内側には、突起４２ｄが突設され、ロッド支持部材４４を取付ブラケット４２内に押し込むと、ロッド支持部材４４の内側に設けた係止凹部がその突起４２ｄに係止される構造となっている。このロッド支持部材４４においても、それを取付ブラケット４２内に簡単に取り付けることができ、アダプターロッド１３を定位置に簡単に保持することができる。
【００５８】
図１４〜図２２は第２実施形態のシリンダ錠ユニットを示している。なお、図１７、図２０〜２２に示す矢印Ｆはシリンダ錠ユニットの前方、矢印Ｒはその後方、矢印Ｌはその左側、矢印ＲＩはその右側を示している。シリンダ錠１１は、上記と同様に、パチンコ機の施錠装置に、広く使用される標準的な長さのシリンダ錠であり、外筒ケースの元部にフランジ１１ｂを設け、フランジ１１ｂの中央から背面側に錠軸１１ａを突出している。フランジ１１ｂには取付孔が設けられ、固定ねじ１６を挿入して取付ブラケット５０の先端のフランジ固定部５３に固定される。
【００５９】
シリンダ錠１１が取付固定される取付ブラケット５０は、図１７のように、コ字状断面部５４を有した本体部の末端（背面側）に第１取付座固定部５１を設けると共に、第１取付座固定部５１の端部を直角に曲折した第２取付座固定部５２が設けられている。第１取付座固定部５１には取付孔５１ａが設けられ、第２取付座固定部５２には取付孔５２ａが設けられている。また、本体部の先端（正面側）には、コ字状断面部５４の端部を外側に直角に曲折するようにフランジ固定部５３が形成され、このフランジ固定部５３の正面側には、上記のように、シリンダ錠１１のフランジ１１ｂが、２本の固定ねじ１６により固定される。
【００６０】
取付ブラケット５０の本体部は、例えば鋼板をプレス加工により、所定の形状に裁断し、その平板基部の上縁と下縁の壁部を内側に直角に曲折して、横断面を略コ字状とするコ字状断面部５４を設けて形成される。さらにそのコ字状断面部５４の先端側は、外側に直角に曲折され、シリンダ錠１１のフランジ１１ｂを固定するためのフランジ固定部５３が形成されている。
【００６１】
また、取付ブラケット１２の本体部つまりコ字状断面部５４の平板基部の末端には、第１取付座固定部５１が形成され、この第１取付座固定部５１の端部を直角に曲折するように第２取付座固定部５２が形成される。第２取付座固定部５２の中央にアダプターロッド６０の先端が挿通して支持される貫通孔が形成され、その貫通孔の周辺部が第１ロッド支持部５６となっており、第１ロッド支持部５６はアダプターロッド６０を回転自在に支持する。
【００６２】
さらに、取付ブラケット５０の本体部におけるコ字状断面部５４の平板基部には、内側に切り起こすように、第２ロッド支持部５７が形成される。この第２ロッド支持部５７は、アダプターロッド６０の小径部６３に嵌合し、第１ロッド支持部５６と共に、アダプターロッド６０を回転自在に支持する。取付ブラケット５０の先端のフランジ固定部５３には、２対の取付孔５３ａ、５３ｂが形成される。これらの取付孔５３ａ、５３ｂは、一方の１対の取付孔５３ａが上記のようにシリンダ錠１１のフランジ１１ｂの固定に使用され、固定ねじ１６を取付孔５３ａにねじ込み、シリンダ錠１１を固定する。他方の１対の取付孔５３ｂは、図示しないゲーム機の扉の一部に固定するために使用される。
【００６３】
さらに、取付ブラケット５０のコ字状断面部５４の平板基部には、ロッド支持部材７０を位置決めするための位置決め孔５４ｂ（図１７）が設けられ、コ字状断面部５４の上部と下部の壁部には、係止溝５４ａが設けられる。このような取付ブラケット５０の内側には、アダプターロッド６０が第１ロッド支持部５６と第２ロッド支持部５７により回転自在に支持されるが、そのアダプターロッド６０とロッド連結カバー６７をさらに確実に回転自在に保持するために、ロッド支持部材７０が図１７に示すように、取付ブラケット５０のコ字状断面部５４の内側に嵌着される。
【００６４】
ロッド支持部材７０は、図１７，１８に示すように、取付ブラケット５０のコ字状断面部５４の内側に嵌入される大きさの直方体形状に、合成樹脂により一体成形して形成され、アダプターロッド６０を支持する断面Ｕ字状の支持凹部７１がロッド支持部材７０の内側に設けられる。さらに、ロッド支持部材７０の上面と下面には係止爪７２が設けられ、ロッド支持部材７０を取付ブラケット５０のコ字状断面部５４の内側に嵌入したとき、係止爪７２がコ字状断面部５４の壁部の係止溝５４ａに係止させるようになっている。係止爪７２は内側に弾性変形可能に形成され、ロッド支持部材７０をコ字状断面部５４内に挿入したとき、簡単に係止爪７２が係止溝５４ａに係止される構造である。
【００６５】
アダプターロッド６０は、図１７に示すように、その先端に矩形部６１を設け、その末端にカム固定部６２を設けて形成され、中間部には上記のように第２ロッド支持部５７が回転可能に支持する小径部６３が設けられている。先端の矩形部６１は、後述のロッド連結カバー６７の矩形嵌合部６９（図１９）に嵌合可能に形成され、末端のカム固定部６２は、カム部材１５の矩形穴に嵌合可能に形成される。
【００６６】
ロッド連結カバー６７は、図１９に示すように、合成樹脂などによりその外形を略円柱状に形成され、アダプターロッド６０の矩形部６１に嵌合可能な孔状の矩形嵌合部６９を一方の端部に設けている。また、その矩形嵌合部６９の反対側には、孔状の錠軸嵌合部６８が連通して形成され、錠軸嵌合部６８は上記シリンダ錠１１の錠軸１１ａの先端が嵌合可能な長孔形状に形成されている。
【００６７】
一方、錠軸１１ａの先端にはねじ孔が形成されるが、ロッド連結カバー６７の錠軸嵌合部６８を錠軸１１ａに嵌合し、図１７のように、皿ねじ６６を矩形嵌合部６９から挿入し、皿ねじ６６の先端を錠軸１１ａのねじ孔にねじ込むことにより、皿ねじ６６の縁部を矩形嵌合部６９の内側に係止させ、ロッド連結カバー６７を錠軸１１ａに対しねじ止め構造としている。
【００６８】
他方、取付ブラケット５０内にロッド支持部材７０によって支持されたアダプターロッド６０は、その先端の矩形部６１が、錠軸１１ａの先端に固定されたロッド連結カバー６７の矩形嵌合部６９に嵌合され、錠軸１１ａの回動力をアダプターロッド６０に確実に伝達可能となっている。
【００６９】
シリンダ錠ユニットを組み立てる場合、先ず、取付ブラケット５０のコ字状断面部５４の内側中央に、アダプターロッド６０を第１ロッド支持部５６と第２ロッド支持部５７を用いて支持させる。このとき、アダプターロッド６０の末端のカム固定部６２は、第１ロッド支持部５６の貫通孔に挿通され、アダプターロッド６０は取付ブラケット１２の内側中央に長手方向に向けて配置され、その中間の小径部６３は、第２ロッド支持部５７により支持される。
【００７０】
アダプターロッド６０の先端の矩形部６１は、ロッド連結カバー６７の矩形嵌合部６９に嵌合可能な状態となる。その状態で、コ字状断面部５４の上からロッド支持部材７０を、その支持凹部７１をアダプターロッド６０上に被せるように嵌め込む。このとき、ロッド支持部材７０の内側のＵ字状リブ７４がアダプターロッド６０の小径部６３に嵌入して、アダプターロッド６０を回転自在に支持し、ロッド支持部材７０の両側の係止爪７２が、コ字状断面部５４の係止溝５４ａに係止されて、ロッド支持部材７０は取付ブラケット５０のコ字状断面部５４内の定位置に正確に嵌着され、その内側に、アダプターロッド６０が回転自在に保持される。
【００７１】
次に、シリンダ錠１１の錠軸１１ａにロッド連結カバー６７の錠軸嵌合部６８を嵌め、図１７のように、皿ねじ６６をその矩形嵌合部６９側から挿入し、錠軸１１ａのねじ孔に皿ねじ６６の先端をねじ込み、固定する。
【００７２】
次に、シリンダ錠１１を取付ブラケット５０の先端に取り付ける。このとき、アダプターロッド６０の先端の矩形嵌合部６９は、取付ブラケット５０の所定位置に、ロッド支持部材７０により位置決めされて保持されており、シリンダ錠１１の錠軸１１ａにはロッド連結カバー６７が皿ねじ６６により固定されているので、アダプターロッド６０先端の矩形部６１を、ロッド連結カバー６７の孔状の矩形嵌合部６９に挿入しながら、そのフランジ１１ｂを取付ブラケット５０のフランジ固定部５３上に当て、固定ねじ１６をそれらのねじ孔及び取付孔５３ａにねじ込むだけの簡単な操作で、シリンダ錠１１を取り付け、且つその錠軸１１ａをアダプターロッド６０の先端に連結することができる。そして、この状態で、取付ブラケット５０の末端の第２取付座固定部５２における、第１ロッド支持部５６によって支持される、アダプターロッド６０の末端のカム固定部６２に、カム部材１５を固定ねじで固定して、シリンダ錠ユニット１０Ａの組み付けは完了する。
【００７３】
このように、シリンダ錠１１の錠軸１１ａには、合成樹脂製のロッド連結カバー６７が皿ねじ６６によって固定され、ロッド連結カバー６７の孔状の矩形嵌合部６９に、アダプターロッド６０の先端の矩形部６１を嵌入して連結するので、錠軸１１ａの回動力をアダプターロッド６０に良好に伝達するように、アダプターロッド６０と錠軸１１ａの連結を確実に行なうことができる。また、ロッド連結カバー６７は錠軸１１ａにねじ止め可能な形状に合成樹脂により形成され、アダプターロッド６０はその矩形部６１をロッド連結カバー６７の矩形嵌合部６９に嵌入して連結する構造としたので、通常、金属棒を切削加工して製造するアダプターロッド６０には軸孔を含む大径部などを設ける必要がなく、低コストでアダプターロッド及びシリンダ錠ユニット１０Ａ全体を製造することができる。
【００７４】
上記シリンダ錠ユニット１０Ａは、図２０〜２２に示すように、施錠装置本体１の支持部材２正面側の取付板２ａから左側に延設された取付座部７に、正面を向けて取り付けられる。取付座部７は、その先端が正面側に直角に曲折されて取付部７ｂとされ、取付座部７には取付孔７ｃが設けられ、取付部７ｂには取付孔７ｄが設けられている。その取付部７ｂに取付ブラケット５０の第１取付座固定部５１を当てると共に、第２取付座固定部５２を取付座部７の背面側に当て、取付ブラケット５０を施錠装置本体１に取り付け、固定ねじにより固定する。
【００７５】
このとき、固定ねじ６５は、図２０，２１に示す如く、取付孔５１ａと取付孔７ｄにねじ込み、第１取付座固定部５１と取付部７ｂを締め付けて固定することができる。或いは、固定ねじ６５は、図２２に示す如く、取付孔５２ａと取付孔７ｃにねじ込み、第２取付座固定部５２と取付座部７を締め付けて固定することができる。これにより、取付ブラケット５０つまりシリンダ錠ユニット１０Ａが施錠装置本体１に取り付けられる。
【００７６】
このように、取付ブラケット５０の直角関係にある第１取付座固定部５１と第２取付座固定部５２を、同様に直角に曲折された取付座部７と取付部７ｂに固定することにより、シリンダ錠ユニット１０Ａを非常に安定して固定することができる。また、このようなシリンダ錠ユニット１０Ａを取り付けた施錠装置本体１は、図示しないゲーム機の前扉の内側における自由端側の縁部に、そのシリンダ錠１１の鍵穴面を、前扉の前面に露出して、縦に取り付けられるが、そのとき、シリンダ錠ユニット１０Ａの取付ブラケット５０のフランジ固定部５３の取付孔５３ｂを用いて、前扉の内側にそのフランジ固定部５３を固定ねじで固定する。このために、前方に延びた長尺のシリンダ錠ユニット１０Ａを安定して固定することができる。
【００７７】
ところで、ゲーム機がパチンコホールなどで使用される際、施錠装置本体１０Ａからシリンダ錠ユニット１０Ａが各ホールの統一錠（長尺円筒錠）と交換される場合があるが、この際には、固定ねじ６５を外すことにより、シリンダ錠ユニット１０Ａを外し、統一錠と交換することができる。また、このようなシリンダ錠ユニット１０Ａの交換の際には、固定ねじ６５をねじ込む取付孔として、第１取付座固定部５１の取付孔５１ａ或いは第２取付座固定部５２の取付孔５２ａの何れか一方を任意に選択することができる。
【００７８】
これにより、ゲーム機内に施錠装置本体１を固定した状態で、ゲーム機内のシリンダ錠ユニット１０Ａの周辺の空間が、取付孔５１ａ側にある場合、固定ねじ６５を第１取付座固定部５１の取付孔５１ａにねじ込み、周辺の空間が、取付孔５２ａ側にある場合、第２取付座固定部５２の取付孔５２ａに固定ねじ６５をねじ込み、固定する。これにより、ゲーム機内に施錠装置本体１を固定した状態で、シリンダ錠ユニット１０Ａの交換を容易に行なうことができる。
【００７９】
このように、シリンダ錠ユニット１０Ａは、コ字状断面部５４を有する取付ブラケット５０に、アダプターロッド６０及びロッド支持部材７０を組み付けるだけで、簡単に低コストで製造することができる。さらに、パチンコホールなどで統一錠として使用される長尺円筒錠と交換する場合、取付座部７から取付ブラケット５０を外し、交換用の長尺円筒錠のフランジを、この取付座部７または取付部７ｂに当て、固定ねじ６５を用いて固定し、簡単に交換することができる。また、シリンダ錠１１自体を交換する際は、シリンダ錠１１をそのフランジ１１ｂから取り外せば、取付ブラケット５０に対し簡単にシリンダ錠１１の交換を行うことができる。
【符号の説明】
【００８０】
１      施錠装置本体
２      支持部材
２ａ    取付板
３      ケース
７      取付座部
７ｂ    取付部
１０    シリンダ錠ユニット
１０Ａ  シリンダ錠ユニット
１１    シリンダ錠
１１ａ  錠軸
１１ｂ  フランジ
１２    取付ブラケット
１２ａ  ロッド支持部
１２ｂ  取付座固定部
１２ｃ  コ字状断面部
１２ｄ  フランジ固定部
１３    アダプターロッド
１３ａ  嵌合穴
１３ｂ  小径部
１３ｃ  カム固定部
１４    ロッド支持部材
１４ａ  嵌着部
１４ｂ  支持部
１５    カム部材
４２    取付ブラケット
４２ｃ  コ字状断面部
４４    ロッド支持部材
５０    取付ブラケット
５１    第１取付座固定部
５２    第２取付座固定部
５３    フランジ固定部
５４    コ字状断面部
５４ａ  係止溝
５４ｂ  位置決め孔
５６    第１ロッド支持部
５７    第２ロッド支持部
５７    ロッド支持部
６０    アダプターロッド
６１    矩形部
６２    カム固定部
６３    小径部
６７    ロッド連結カバー
６８    錠軸嵌合部
６９    矩形嵌合部
７０    ロッド支持部材
【図１】
2010222948.tif 000003
【図２】
2010222948.tif 000004
【図３】
2010222948.tif 000005
【図４】
2010222948.tif 000006
【図５】
2010222948.tif 000007
【図６】
2010222948.tif 000008
【図７】
2010222948.tif 000009
【図８】
2010222948.tif 000010
【図９】
2010222948.tif 000011
【図１０】
2010222948.tif 000012
【図１１】
2010222948.tif 000013
【図１２】
2010222948.tif 000014
【図１３】
2010222948.tif 000015
【図１４】
2010222948.tif 000016
【図１５】
2010222948.tif 000017
【図１６】
2010222948.tif 000018
【図１７】
2010222948.tif 000019
【図１８】
2010222948.tif 000020
【図１９】
2010222948.tif 000021
【図２０】
2010222948.tif 000022
【図２１】
2010222948.tif 000023
【図２２】
2010222948.tif 000024